(57)【要約】外部ケーシング（１４）と、外部ケーシング（１４）内に設けられ、かつ使用時に移動可能なようにケーシングから隔てられたコンテナ（３４）とを備える。コンテナ（３４）はそれぞれ、コンテナへ洗濯物を導入するための開口部と、使用する際にコンテナ（３４）と一緒に移動可能なコンテナの開口部を閉じるためのドア（４２）とを有する。シール（８０）が外部ケーシング（１４）とコンテナ（３４）との間の空間に配置されている。シール（８０）は外部ケーシング（１４）の開口部の縁部（８５）から半径方向内側に延在し、かつコンテナ（３４）の正面に対向している。シールは、コンテナの縁部（８５）と可撓性部分（８２）とを収容するための溝（８３）を備えた剛性部分（８１）を有する。
2004508854.tif 000002
【特許請求の範囲】
【請求項１】
外部ケーシングと、
前記外部ケーシング内に設けられ、かつ使用時に移動可能なように前記外部ケーシングから隔てられたコンテナと、を備え、
前記外部ケーシング及び前記コンテナはそれぞれ、
該コンテナへ洗濯物を導入するための開口部と、
使用時に前記コンテナと一緒に移動可能な前記コンテナの前記開口部を閉じるためのドアと、
前記外部ケーシングと前記コンテナとの間の空間に配置されたシールと、を有し、
前記シールは前記外部ケーシングの前記開口部の縁部から延在している
ことを特徴とする洗濯装置。
【請求項２】
請求項１記載の装置において、
前記シールは前記外部ケーシングの前記開口部の前記縁部から半径方向内部へ向けて延在していることを特徴とする装置。
【請求項３】
請求項１又は２記載の装置において、
前記シールは前記コンテナと対向していることを特徴とする装置。
【請求項４】
請求項３記載の装置において、
前記シールは前記コンテナに対向するよう弾性的に付勢されていることを特徴とする装置。
【請求項５】
請求項１から４のいずれか一項に記載の装置において、
前記シールは可撓性を有することを特徴とする装置。
【請求項６】
請求項５記載の装置において、
前記シールは、剛性材料から形成された前記外部ケーシングの前記縁部に接続する第１部分と、より可撓性を有する材料から形成された前記コンテナへ向けて延在する第２部分と、を含むことを特徴とする装置。
【請求項７】
請求項５又は６記載の装置において、
前記コンテナに最も近い前記シールの部分は、前記シールの前記可撓性を有する部分よりも剛性を有する材料から形成されていることを特徴とする装置。
【請求項８】
請求項１から７のいずれか一項に記載の装置において、
前記シールは前記外部ケーシングの前記開口部の前記縁部と同一平面上に位置することを特徴とする装置。
【請求項９】
請求項１から８のいずれか一項に記載の装置において、
前記シールは前記外部ケーシングの前記開口部の前記縁部と接続するための部分を備えることを特徴とする装置。
【請求項１０】
請求項９記載の装置において、
前記シールは前記外部ケーシングの前記開口部の前記縁部を支持するための溝を有することを特徴とする装置。
【請求項１１】
請求項１から１０のいずれか一項に記載の装置において、
前記シールは前記コンテナと接続するための部分を備えることを特徴とする装置。
【請求項１２】
請求項１から１１のいずれか一項に記載の装置において、
前記外部ケーシングの前記開口部を閉じるためのドアをさらに備えることを特徴とする装置。
【請求項１３】
洗濯機の形態の請求項１から１２のいずれか一項に記載の装置。
【請求項１４】
実質的に添付の図面に対して以下で記載するような洗濯装置。
【発明の詳細な説明】
【０００１】
【発明の属する技術分野】
本発明は、洗濯機、乾燥機付き洗濯機、又は回転乾燥機のような洗濯装置に関する。
【０００２】
【従来の技術及び発明が解決しようとする課題】
洗濯機は一般的に、しばしば槽と呼ばれる水密の内部コンテナを備えた外部ケーシングからなる。コンテナの内部には通常、コンテナに対して回転することができるように、穿孔されたドラムが設けられている。運転中、コンテナ内には洗濯液が収容されており、穿孔されたドラム内には洗濯されるべき洗濯物が配置されている。洗濯物は、ドラムをゆっくり回転させるか又はドラム内に配置された攪拌機を運転することによって攪拌される。洗濯物が洗濯されたとき、洗濯液のいくらかは内部コンテナから排出され、さらに洗濯液は、該洗濯液を回転させるために内部コンテナ内のドラムを速く回転させることによって洗濯物から抽出される。すすぎ水の抽出は同様の方法で達成される。洗濯物が必然的に不均一に分布することで生じるドラムの不安定性により、ドラムが速い速度で回転するときに外部ケーシング内の内部コンテナがいくらか振動する。この振動が洗濯機の外部ケーシングに伝達するのを回避するために、内部コンテナは、コンテナと外部ケーシングとの間の移動量が限定されるように外部ケーシング内に設けられる。この点、テンション・スプリングを用いて外部ケーシングに内部コンテナを取り付けることは一般的であり、このスプリングは内部コンテナの動きを減少させ、かつ内部コンテナを平衡位置に戻るよう動かすものである。
【０００３】
内部コンテナが外部コンテナに対して移動できるという事実は、ドアの区域で洗濯機をシールすることに関して、特にフロントローディング方式の洗濯機の場合に、困難を引き起こす。ほとんどの場合、ドアは外部ケーシングに設けられており、かつドアが閉じた位置にあるとき外部ケーシングをシールするように配置されている。フロントローディング方式の洗濯機の場合、ドアはまた通常、内部コンテナの内部へ向けて突出するような形状に窪んでいる。洗濯液が内部コンテナから流出するのを防ぐように、内部コンテナとドア又は開口部のリムのどちらかとの間に可撓性の大きいベローズシールが設けられている。トップローディング方式の洗濯機の場合、可撓性のシールはシールの上端と外部ケーシング又はドアとの間へ延出してもよいが、ドアは内部コンテナへ向けて突出するよう形成される必要はない。可撓性のシールは通常、機器の残りの部分へ過度の圧力又は損害を与えることなく内部コンテナの動きを調整することができるように、十分な可撓性を有して構成される。
【０００４】
上で略述された従来の装置は一般的に、内部コンテナのシーリングが依存している可撓性シールは摩滅するか又は損傷を受ける傾向にある、という不都合な点を有している。これは、必要によりシールが、支持されずに、洗濯物をドラムの内部へ導入するための洗濯物が通過する開口部へ突出しかつ取り囲んでいるからである。利用可能な開口部を介して洗濯物を通過させるためにはかなりの力を使うことは一般的であり、これによりシールが曲げられるか、取り払われるか、又は損傷する可能性がある。ジッパー及び／又はボタンのような留め具が洗濯物に存在する場合には、シールに対する損傷はかなりのものとなる可能性がある。従来のフロントローディング装置の他の不都合な点は、内部コンテナの動きを調整するためにシールが可撓性を有していなければならないので、洗濯物の小さな部分がシールの折り目又は裂け目につかえるようになる可能性があり、これによりこの小さな部分が適切に洗濯されないか又は損傷を受けるようになる可能性がある、という点である。
【０００５】
いくつかのフロントローディング洗濯機はコンテナ自身に設けられたドアを有することが知られている。ドアは、閉まる時にコンテナをシールする。従来の装置に関して、コンテナは、コンテナと外部ケーシングとの間を限定して動くことができるように外部ケーシングの内部に配置されているが、コンテナと外部ケーシングとの間の大きなベローズシールは不要となっている。外部ケーシングの開口部は、ドラムへ接近することができるようにコンテナドアと並べて配置され、フロントパネルはこの開口部を覆うために外部ケーシングへ間接接合される。ラバーシールの形状はコンテナと外部ケーシングとの間の空間に与えられており、このシールは、コンテナと外部ケーシングとの間にクッション材を提供するためにケーシングの開口部から半径方向外方へ向けて間隔を空けて配置されている。この種の装置では、物体が外部ケーシングとコンテナとの間に挟まるか又は落っこちる恐れがある。
【０００６】
この発明の目的は、より便利に使用することのできる洗濯装置を提供することにある。
【０００７】
【課題を解決するための手段】
したがって、この発明は、外部ケーシングと、前記外部ケーシング内に設けられ、かつ使用時に移動可能なように前記外部ケーシングから隔てられたコンテナと、を備え、前記外部ケーシング及び前記コンテナはそれぞれ、該コンテナへ洗濯物を導入するための開口部と、使用時に前記コンテナと一緒に移動可能な前記コンテナの前記開口部を閉じるためのドアと、前記外部ケーシングと前記コンテナとの間の空間に配置されたシールと、を有し、前記シールは前記外部ケーシングの前記開口部の縁部から延在していることを特徴とする洗濯装置を提供する。
【０００８】
外部ケーシングの縁部から延在するシールを設けることによって、外部ケーシングとコンテナとの間の隙間は安全に保護される。このようにユーザーは自らの手を塞ぐ必要がなく、物体は落ちる可能性がないか又は外部ケーシングとコンテナとの間に捕獲されるようになる可能性はない。
【０００９】
好ましくは、シールは外部ケーシングの縁部から半径方向内部へ向けて延在している。この配置に関して、シールは常に、コンテナが外部ケーシングに対して動くときでさえ、コンテナと外部ケーシングとの間の隙間を保護する。
【００１０】
好ましくは、シールは、ユーザーが自らの手を塞ぐか又は物体が外部ケーシングとコンテナとの間に落ちるという危険をさらに最小限に抑えるために、コンテナと対向している。このシールはコンテナに対向するよう弾性的に付勢されてもよい。
【００１１】
好ましくは、シールは、コンテナが外部ケーシングに対して動くとき、コンテナを過度に拘束しないように十分な可撓性を有する。
【００１２】
好ましくは、シールは外部ケーシングの開口部の縁部と同一平面上に位置する。
【００１３】
好ましくは、シールは外部ケーシングの開口部の縁部に接続するための部分を含む。この部分は、外部ケーシングの開口部の縁部を支持するための溝の形態を取り得る。
【００１４】
【発明の実施の形態】
以下、添付の図面を参照して本発明の実施形態を例としてのみ記述する。
【００１５】
図１及び図２は洗濯機１０の形態の洗濯装置を示す。この洗濯機１０は、フロントパネル１４とサイドパネル１６とカバー１８とを備えた外部ケーシング１２を有する。外部ケーシング１２は、ヨーロッパ風のキッチン及びユーティリティールームに通常設けられるような標準的な装置スペース内で取り付けるように寸法を合わせることができる。
【００１６】
しかしながら、洗濯機１０の寸法はこの発明の一部を形成するものではなく、要求に合わせて変更することができる。
【００１７】
フロントパネル１４は、洗濯機１０を適切に運転するための様々な制御ボタン又は他の手段が収容されているコントロールパネル２０を含む。フロントパネル１４はまた、洗浄剤を収容するための石鹸皿へアクセスすることができるための石鹸皿の引出し２２をも含む。フロントパネル１４にはまた、洗濯機１０へ不注意に入り込んでしまった大きな異物を収集するための空洞へのアクセスを可能とするコイン・トラップ２４が配置されている。制御パネル２０、石鹸皿の引出し２２、及びコイン・トラップ２４の構成、操作性、及び相対位置は、この発明にとって重要ではなく、これら特定の特徴の変形例は本発明の範囲内に包含されるよう意図されていることに留意されたい。
【００１８】
外部ケーシング１２のフロントパネル１４には、第１ドア２６が設けられている。ドア２６はヒンジ２８によってドア２６の一側で支持されている。ヒンジ２８から離れた側のドア２６には、フロントパネル１４に設けられたラッチ３２（図３）と協働するハンドル３０が配置されている。
【００１９】
内部コンテナすなわちタブ３４がテンションスプリング及びダンパー３６によって外部ケーシング１２の内部に設けられている。洗濯機１０の内部にタブ３４を設ける方法は公知となっている。円筒形のドラム３８がタブ３４の内部に、これまた公知の方法で設けられており、この際、ドラム３８を自身の長手方向の軸線の回りに回転させるように、モータ４０が設けられている。ドラム３８には、タブ３４に収容された洗濯液及び／又はすすぎ水が通過してドラム３８の内部へ流れるように、穿孔が設けられている。
【００２０】
タブ３４には、外部ケーシング１２のフロントパネル１４に最も近くかつ一般的には平行である面に、第２ドア４２が設けられている。ドア２６と同様、ドア４２は、ヒンジ４４によってヒンジ４４の回りに回動可能に支持されている（図３参照）。ハンドル４６がまた、ヒンジ４４から離れた側のドア４２に設けられている。このハンドル４６はタブ３４に設けられたラッチと協働する。
【００２１】
洗濯機として実施するために、タブ３４へ水を導入し、かつまたタブ３４から水を排出して水排出口へ汲み出すための手段（不図示）が設けられている。これらの特徴は従来技術から良く知られており、このためにここでは図において示すこともさらに説明することもない。
【００２２】
洗濯機１０はまた、洗濯機１０に適切な洗濯サイクルを実施させるための制御手段を備える。通常の洗濯サイクルは、洗濯液を作るためにタブ３４の内部に水及び洗浄剤を導入することと、所望の温度に洗濯液を加熱することと、ドラム３８内に収容された洗濯物を攪拌するためにタブ３４内でドラム３８をその軸線の回りに回転させることと、タブ３４から洗濯液を排出することと、を含み、一連のすすぎサイクルは、タブ３４の内部にすすぎ水を導入することと、ドレンを開けてドラム３８をゆっくりと回転させることによってタブ３４からすすぎ水を抽出することと、ドラム３８をその軸線の回りに速く回転させることによって洗濯物を回転させることと、を含む。洗濯サイクルのさらなる説明はここでは省略する。洗濯機１０を運転するために設けられた制御手段５０はまた、以下でより詳細に述べられるようにラッチ３２及びラッチ４８へ操作が及ぶよう接続されている。
【００２３】
図３は、外部ドア２６が開かれかつ内部ドア４２が閉じた第１の状態を示している。外部ドア２６は通常、ヒンジ２８によって一側で支持される円形パネル５２を備えている。ヒンジ２８は複数のサイドパネル１６のうちの一つに隣接するフロントパネル１４に配置されている。ヒンジをサイドパネル１６の非常に近くに配置することによって、円形パネル５２はできる限り大きな半径をもつことができる。円形パネル５２はヒンジ２８から離れた側でハンドル３０を支持する。
【００２４】
円形パネル５２は透明な材料から作られる。示された実施形態では、他の透明材料が用いられてもよいが、使用された材料はポリカーボネートである。これにより、ドア２６を介してドア４２を見ることができる。ドア４２の位置は図３に点線で示されている。
【００２５】
ドア２６は、フロントパネル１４の開口部５４を閉じることができるように、寸法が合わされかつ配置されている。円形パネル５４は、ドア２６が閉じた位置にあるとき、開口部５４を介してフロントパネル１４を通って外部ケーシングの内部へ突出する縁部５６を有している。シール５８は縁部５６の半径方向外側の円形パネル５２のリムに位置しており、その結果ドア２６が閉じた位置にあるとき、シール５８は円形パネル５２とフロントパネル１４の開口部５４のリムとの間に押し付けられる。このように、ドア２６が閉じたとき、外部ケーシング１２は開口部５４の領域で堅固かつ密閉した状態で閉ざされる。
【００２６】
フロントパネル１４の開口部５４は、ドア２６が開いているとき、内部ドア４２が通過できるよう十分に大きい。ドア４２はヒンジ４４によってタブ３４に支持されている。ヒンジ４４は、タブ３４が釣合いの位置にあるとき、ヒンジ２８よりもサイドパネル１６から離れた位置にある。これにより、ドア４２がヒンジ４４の回りを回転するときに、ドア４２が開口部５４を介して通過することができるのが保証される。
【００２７】
ドア４２は、ヒンジ４４によってドア４２の一側で支持される環状のリム部６０を備えている。ハンドル４６がヒンジ４４から離れた側のリム部６０に配置されている。リム部６０は、ガラス又はパイレックス（登録商標）のような透明な材料から製造された皿状部６２を取り囲みかつ支持する。他の透明な材料が用いられてもよい。ドア４２が閉じた位置にあるとき、皿状部６２はタブ３４の内部に突出する。
【００２８】
ドア４２は、外部ケーシング１２のフロントパネル１４に隣接するタブ３４の部分に位置する開口部６４を閉じるように、配置されかつ寸法が合わされている。開口部６４は、円形であり、かつ開口部５４よりも小さな半径を有する。シール６６は、ドア４２が閉じているとき、リム部６０がシール６６を押圧するような位置で、タブ３４の外面にある開口部６４のリムの周りに配置されている。このようにして、タブ３４は、ドア４２が閉じた位置にあるとき、水を漏らさないようにシールされる。
【００２９】
ハンドル３０，４６のそれぞれは、公知の方法でそれぞれラッチ３２，４８と協働する。閉じた位置にあるとき、それぞれのラッチ３２，４８は、それぞれのハンドル３０，４６が操作されるまで、それぞれのドア２６，４２を閉じた位置に保持するよう操作することができる。このようにして、それぞれのドア２６，４２は、それぞれのシール５８，６６が圧力のかかった状態にある位置で保持され、それ故に水漏れに対してシールを形成するよう作用する。
【００３０】
２つの分離されたドア、すなわち外部ケーシング１２に設けられた第１ドア２６とタブ３４に設けられた第２ドアと、を設けることは、タブ３４と外部ケーシング１２に設けられたドア２６との間に大きな可撓性を有するシールを設ける必要がないということを意味する。タブ３４を塞ぐドア４２は、直接タブに設けられており、それ故にタブ３４の水密閉鎖を保証するシール６６は、洗濯物が開口部６４を介してタブ３４の内部へ導入されることによる摩滅及び／又は損傷を受け難くなる。シール６６は十分な支持が提供された状態で小さくかつコンパクトに形成することができる。また、シール５８は洗濯機１０の運転に対してさほど重要なものではないと認められているものの、フロントパネル１４とドア２６との間に設けられた該シール５８もまた完全に支持され、それ故にさほど損傷及び摩滅に対して強いものとなる。
【００３１】
洗濯機１０が運転中のときは両方のドア２６，４２が閉められる。しかしながら、洗濯機１０のユーザーはなお、両方のドア２６，４２が透明であるという事実のおかげで、タブ３４の内部を見ることができる。したがってユーザーは、特定の時間に洗濯機１０が到達したサイクルの段階を判断することができるよう、洗濯機１０の内部を見ることができる。
【００３２】
図３から図６は、フロントパネル１４とタブ３４との間に位置するシール８０を示す。このシール８０は、タブ３４とフロントパネル１４との間の領域を保護する目的に役立つ。タブ３４とフロントパネル１４とは、洗濯機を使用している間、タブ３４が動くことができるように隔てられねばならない。シール８０は、ユーザーの手がタブ３４とフロントパネル１４との間に捕らわれるのを防止する。
【００３３】
図４はシールそのもののみを示す。シール８０は、フロントパネル１４へ接続する第１部分８１と、より可撓性を有する第２部分８２とを備える。第１部分８１は、シールの半径方向最も外側の部分であり、かつポリプロピレンのようなフロントパネル１４の開口部の縁部８５をつかむのに十分な剛性を有する材料から形成されている。円形溝８３が剛性部分８１内に形成されており、全体のシールの周りに延在している。シール８０の第２部分８２は、シールの半径方向最も内側の部分であり、かつ熱可塑性エラストマーのようなより可撓性を有する材料から形成されている。第２材料の性質は、（ｉ）タブ組立体に合う形状を維持するのに十分な剛性を有し、（ｉｉ）タブ組立体との摩擦接触に耐えるよう十分に強健であり、（ｉｉｉ）タブ組立体がフロントパネルへ向けて動くときに曲がるよう十分に可撓性を有するべきである。シールの剛性が強すぎる場合には、タブ組立体の自然な動きを不必要に抑制することがわかっている。第１及び第２部分８１，８２は、単一の仕上げ部分を形成するよう互いに成型されている。成型は、シールの可撓性を有する部分８２がより剛性を有する部分８１を覆って成型される場合には、ツイン・ショット成型法（ｔｗｉｎ−ｓｈｏｔ ｍｏｕｌｄｉｎｇ ｍｅｔｈｏｄ）によって達成され得る。シール８０の最も内側の部分の半径は、内部ドア４２のヒンジ４４、ドア・キャッチ（ｄｏｏｒ ｃａｔｃｈ）、及びハンドル４６を収容するための領域８８，８９で増加している。このように、キャッチ及びヒンジの操作はシール８０の存在によって影響されない。これらの部分の領域では、シールがなおタブ３４と同一平面上にある。あまり望まれない方法だが、シール８０を領域８８，８９で単に切断することもできる。
【００３４】
図５は、明瞭性のために内部ドア４２が取除かれた、図３のＡ−Ａ′線視断面図である。図６は図５の領域Ｃをより詳細に示す。図５及び図６に示すように、シール８０の剛性部分８１は、縁部８５の両側をつかんだ状態で、フロントパネル１４の縁部８５にはまっている。シール８０はパネルの縁部から半径方向内側へ延在している。断面においてシール８０の凹状の輪郭を有し、丸みのある縁部９２で終端している。丸みのある縁部９２はシールの形状の維持を容易にする。シールの縁部９２は実質的に、タブ３４の正面９０と同一平面上にある。この装置を用いれば、洗濯機を運転中にパネルとタブ組立体との間の隙間の幅が変化した場合でさえ、シール８０は常にパネルとタブ組立体との間の隙間を保護する。タブ３４の動きは図６の矢印１００によって示されており、シールの対応する動きは矢印１１０によって示されている。タブ３４が動くとき、シール８０の可撓性部分８２がタブ３４の面９０に沿って屈曲しかつスライドする様子が見られる。フロントパネル１４とタブ３４との間の領域へのアクセスを得るために、ユーザーはシールの最も内側の縁部９２をこじ開ける必要がある。シール８０の剛性及び弾性を考慮すると、こじ開けるのは非常に困難である。ユーザーにさらされたシール８０の内面９３は、実質的にフロントパネル１４の縁部８５と同一平面上にある。この同一平面上の取り付けによって、洗濯機のこの部分を掃除するのが容易になると同時に、洗濯機の外観も改善される。弾力のある可撓性部分８２がタブ３４の正面９０に対向して位置している上述の装置はよく働くことがわかったが、タブに対してシールの最も内側の縁部を固定することも可能である。図７は他の実施形態を示し、図７において、シールの最も内側の縁部９２′は、タブ３４の正面９０に形成された溝１２０に収容されかつ固定されるように、タブ３４へ向けて軸線方向に延在している。この種のシールは、まずシール８０の縁部９２′をタブ３４上の溝１２０内に押しつけ、次いでファシアの縁部８５をシール８０の他の端部の溝８３へ合わせることによって、導入される。シール８０をタブ３４へ固定する他の方法は当業者には明らかなことだ。
【００３５】
図６は、シール８０をフロントパネル１４へ取り付ける方法を示す。円形溝８３が剛性部分８１内に形成されており、全体のシールの周りに延在している。溝８３は、フロントパネル１４の縁部８５の輪郭と符合する輪郭を有する。溝８３の幅は、溝８３への入口箇所へ向けて狭くなっている。その結果、一度溝８３に押しつけられたフロントパネルの拡大された縁部８５は、溝８３にしっかりと保持されたままとなる。他の実施形態では、フロントパネル１４の縁部を収容するための溝は、シールの周囲全体の周りに延在する必要はない。シール８０は、溝８３を用いる方法とは異なる方法でフロントパネル１４へ固定され得る。圧入固定を達成する他の方法が用いられ得、他の種類の機械的固定が可能である。例えば、シール８０は縁部８５の領域でパネル１４に接合され得る。
【００３６】
図８はシール８０のさらなる変形例を示す。シール８０の半径方向最も内側の部分は補強部１３０を有する。補強部１３０は、タブ３４の過度の動きによってシールの可撓性部分８２がゆがんでしまうのを防ぎ、かつ最も磨耗の生じる領域により耐久性のある表面を提供することによってシールの寿命を延ばし、さらに、特に柔軟性の高い材料を用いた時にタブ面に生じ易いマーク（痕跡）を最小のものとする。補強部１３０は可撓性部分８２を覆って成型され得る。
【００３７】
上で説明したように、洗濯機の制御手段５０はラッチ３２及びラッチ４８に操作可能に接続されている。適切にプログラミングすることによって、制御手段５０は、洗濯機１０によって実施される洗濯サイクルの特定の段階でのみそれぞれのドア２６，４２が開くように設計することができる。例えば、良く知られているように、タブ３４の洗濯液又はすすぎ水が十分にあってドア４２が開けられるべきである場合にこぼれてしまうとき、タブ３４を閉じるドア４２が開けられ得ることは望ましくない。したがって、タブ３４内に収容された液体の高さを決定するセンサが設けられ、かつ液体の高さが少なくともタブ３４の開口部の底と同じ高さである場合には、ドア４２を開くことができない。また、タブ３４が外部ケーシング１２に対して動いていそうないかなるときでも、ドア２６は開けることができるべきではない。このことはドラム３８がタブ３４内で高速で回転しているとき、洗濯サイクルの一部の間に最も起こりそうなことである。したがって、制御手段５０は、ドラム３８が回転しているいかなるときにもランチ３２がドア２６を開放するのを防ぐような方法でプログラムされる。ドラム３８の回転速度が増加するにつれてタブ３４と外部ケーシング１２との間の移動量が増加するので、回転条件下、すなわちドラム３８が８００ｒｐｍ又はそれ以上の速度で回転しているとき、制御手段５０がドア２６が開くのを防ぐように構成することも可能である。
【００３８】
本発明は上述の実施形態の明確な詳細には限定されないということは理解されたい。ドア２６，４２及び開口部５４，６４は、どんな都合のよい形状にも構成することができる。これらドア及び開口部は円形である必要はない。その上、ドア２６，４２は、ここでは実質的に完全に透明であるとして示されたが、透明な部分がタブ３４の内部をユーザーが見ることができるように調整されているならば、それぞれのドアに透明な部分を設けることによって本発明の利点を達成することが可能である。ドア２６，４２が無色であるのが好ましいが、ドア２６，４２の作られる材料は着色されているか又は薄い色合いがついていてもよい。
【図面の簡単な説明】
【図１】本発明に係る洗濯機の透視図である。
【図２】図１の洗濯機の側面図であって、洗濯機の内部の構成要素を概略的に示す図である。
【図３】内部コンテナを示すために外部ドアを開けた状態の図１の洗濯機の正面図である。
【図４】外部ケーシングとコンテナとの間に取り付けるシールのみの正面図である。
【図５】図３の洗濯機の正面を通る断面図である。
【図６】図５の断面図の一部をより詳細に示す詳細図である。
【図７】シールの他の実施形態を示す図６と同様の断面図である。
【図８】シールの変形例を示す図６と同様の断面図である。
【符号の説明】
１４　　　外部ケーシング
３４　　　コンテナ
４２　　　ドア
８０　　　シール
８１　　　剛性部分
８２　　　可撓性部分
８３　　　溝
８５　　　縁部
【国際公開パンフレット】
2004508854.tif 000003
2004508854.tif 000004
2004508854.tif 000005
2004508854.tif 000006
2004508854.tif 000007
2004508854.tif 000008
2004508854.tif 000009
2004508854.tif 000010
2004508854.tif 000011
2004508854.tif 000012
2004508854.tif 000013
2004508854.tif 000014
2004508854.tif 000015
2004508854.tif 000016
2004508854.tif 000017
2004508854.tif 000018
2004508854.tif 000019
2004508854.tif 000020
2004508854.tif 000021
2004508854.tif 000022
2004508854.tif 000023
【国際調査報告】
2004508854.tif 000024
2004508854.tif 000025
2004508854.tif 000026